(57)【特許請求の範囲】
【請求項１】
硬貨を鑑別する鑑別部と、硬貨を金種別に収納する金種別収納庫と、硬貨の回収処理で前記金種別収納庫内の硬貨を収納する回収金庫とを備えた硬貨処理機であって、
前記金種別収納庫に収納している各金種の硬貨の枚数を記憶するとともに、業務開始時に前記金種別収納庫に収納されている硬貨の初期枚数を記憶する記憶手段を有し、
前記金種別収納庫から硬貨を回収するか否かを判断するための硬貨の増加枚数の入力を受け付け、受け付けた増加枚数を前記記憶手段に記憶し、
硬貨を一部回収するか否かを判断する基準枚数を、前記初期枚数と前記増加枚数とを足し合わせて算出し、
取引処理後、記憶している金種ごとの硬貨の枚数を読み出し、読み出した枚数が前記基準枚数よりも多い金種の硬貨がある場合に、該当する金種の硬貨を収納する金種別収納庫内に所定枚数の硬貨が残るように、該金種別収納庫から硬貨を前記回収金庫に移動させる一部回収処理を行うことを特徴とする硬貨処理機。
【請求項２】
請求項１に記載の硬貨処理機において、
前記金種別収納庫から回収する枚数を示す回収値の入力を受け付け、受け付けた回収値を前記記憶手段に記憶し、
一部回収処理により前記金種別収納庫に残す硬貨の前記所定枚数は、前記初期枚数と前記増加枚数とを足し合わせた枚数から前記回収値を差し引いて算出することを特徴とする硬貨処理機。
【請求項３】
硬貨を鑑別する鑑別部と、硬貨を金種別に収納する金種別収納庫と、硬貨の回収処理で前記金種別収納庫内の硬貨を収納する回収金庫とを備えた硬貨処理機であって、
前記金種別収納庫に収納している各金種の硬貨の枚数を記憶する記憶手段を有し、
取引処理後、記憶している金種ごとの硬貨の枚数を読み出し、読み出した枚数が硬貨を一部回収するか否かを判断する基準枚数よりも多い金種の硬貨がある場合に、該当する金種の硬貨を収納する金種別収納庫内に所定枚数の硬貨が残るように、該金種別収納庫から硬貨を前記回収金庫に移動させる一部回収処理を行い、
前記一部回収処理を実行する際に、出金処理における使用する頻度が低い金種の硬貨を前記金種別収納庫から全て回収することを特徴とする硬貨処理機。
【発明の詳細な説明】
【技術分野】
【０００１】
本発明は、現金自動預払機等の自動取引装置に装着され、硬貨の入出金を行う硬貨処理機に関する。
【背景技術】
【０００２】
従来の自動取引装置に装着された硬貨処理機は、硬貨を複数の金種別収納庫に金種別に収納しており、金種別収納庫が満杯となったときや業務が終了して硬貨を回収する際に収納している硬貨を繰出して回収金庫に搬送して収納している（例えば、特許文献１参照。）。
【先行技術文献】
【特許文献】
【０００３】
【特許文献１】特開２００９−１５７５８号公報（段落「００１４」―段落「００１７」、図１）
【発明の開示】
【発明が解決しようとする課題】
【０００４】
しかしながら、上述した従来の技術においては、金種別収納庫の容量が大きい場合、金種別収納庫から回収金庫へ移動させるべき硬貨の枚数が増えるため、現金精査処理等のために全ての硬貨を回収するとき、硬貨を回収金庫に移動させるのに時間が掛かってしまい、係員の待ち時間が長くなるという問題がある。
【０００５】
本発明は、上記の問題点を解決するための手段を提供することを目的とする。
【課題を解決するための手段】
【０００６】
本発明は、上記課題を解決するために、硬貨を鑑別する鑑別部と、硬貨を金種別に収納する金種別収納庫と、硬貨の回収処理で前記金種別収納庫内の硬貨を収納する回収金庫とを備えた硬貨処理機であって、前記金種別収納庫に収納している各金種の硬貨の枚数を記憶するとともに、業務開始時に前記金種別収納庫に収納されている硬貨の初期枚数を記憶する記憶手段を有し、前記金種別収納庫から硬貨を回収するか否かを判断するための硬貨の増加枚数の入力を受け付け、受け付けた増加枚数を前記記憶手段に記憶し、硬貨を一部回収するか否かを判断する基準枚数を、前記初期枚数と前記増加枚数とを足し合わせて算出し、取引処理後、記憶している金種ごとの硬貨の枚数を読み出し、読み出した枚数が前記基準枚数よりも多い金種の硬貨がある場合に、該当する金種の硬貨を収納する金種別収納庫内に所定枚数の硬貨が残るように、該金種別収納庫から硬貨を前記回収金庫に移動させる一部回収処理を行うことを特徴とする。
【発明の効果】
【０００７】
このように、本発明は、一部回収処理を行うことで金種別収納庫内の硬貨の一部を回収金庫に移動させておくため、現金精査処理を行った場合に金種別収納庫内の全ての硬貨を回収金庫に移動させるのに掛かる時間を短縮することができるので、硬貨の移動を待つ係員の待ち時間を短縮して業務効率を向上させることができるという効果が得られる。
【図面の簡単な説明】
【０００８】
【図１】実施例１の硬貨処理機の概要を示す説明図
【図２】実施例１の硬貨処理機の制御系統を示すブロック図
【図３】実施例１の一部回収処理を示すフローチャート
【図４】実施例２の一部回収処理を示すフローチャート
【図５】実施例３の一部回収処理を示すフローチャート
【発明を実施するための最良の形態】
【０００９】
以下に、図面を参照して本発明による硬貨処理機の実施例について説明する。
【実施例１】
【００１０】
図１は実施例１の硬貨処理機の概要を示す説明図である。
図１において、１は硬貨処理機であり、図示しない自動取引装置に搭載され、入金取引時に顧客が投入した硬貨を受入れ、これを鑑別および計数して収納し、出金取引時等に顧客に支払う硬貨を繰出し、これを計数して顧客に払出す機能を有している。
【００１１】
２は硬貨投入部であり、紙幣を投入する投入口を開閉する蓋を備え、顧客が投入した硬貨を一括して受け入れる。
３は繰出分離機構であり、硬貨投入部２に投入された硬貨を１枚ずつ分離して硬貨搬送路４に繰出す機能を有している。
【００１２】
繰出分離機構３は、例えばモータの駆動によって回転するテーブルと、硬貨を一枚づつ分離し、繰出すための分離ゲートとによって構成されるものである。
【００１３】
硬貨搬送部４は、繰出分離機構３によって繰出された硬貨を各部へ搬送する。
また硬貨搬送部４の途中には硬貨の搬送方向を切り替える図示しない切替機構を複数配置している。
【００１４】
５は鑑別部であり、硬貨の磁気特性等の材質や形状、または画像等の情報を取得することによって硬貨の真偽、正損、金種等を鑑別する。
６は一時保管庫であり、鑑別部５にて金種判別された硬貨を金種別に区分けして一時的に保管する。
【００１５】
７は金種別収納庫であり、硬貨を金種別に収納する収納庫であって、入金処理時に確定された硬貨や補充された硬貨を金種別に収納するために複数設けられており、それぞれ収納する硬貨を集積する集積機構および出金する硬貨を繰出す繰出機構を備えている。
【００１６】
本発明においては、硬貨は１円、５円、１０円、５０円、１００円、５００円の６金種を取り扱うので、６つの金種別収納庫７を設けている。
【００１７】
８は回収金庫であり、硬貨処理機１に着脱可能に装着され、金種別収納庫７に収納されている硬貨を回収して収納する金庫であって、硬貨を収納する集積機構等を備える。
【００１８】
図２は実施例１の硬貨処理機の制御系統を示すブロック図である。
図２において、１０は硬貨処理機１の制御部であり、上位装置である自動取引装置の主制御部からの指令を受け付けた際に記憶部１１に格納された制御プログラムに従って硬貨処理機１の各部を制御して、硬貨の入金処理や出金処理、補充処理、回収処理等の硬貨処理を実行する。
【００１９】
１１は記憶部であり、制御部１０が実行する制御プログラムを格納し、各金種別収納庫７内に収納されている硬貨の収納枚数や制御部１０による処理結果等を記憶する。
本発明において制御部１０は、業務時間内であっても金種別収納庫７内の硬貨に応じ、そこに収納している一部の硬貨を回収金庫８に移動させる一部回収処理を行っている。
そのため、記憶部１１は、一部回収処理の実行有無を判断する一部回収判断情報と、一部回収処理を実行後に残す硬貨の処理後残枚数を定める情報を記憶している。
【００２０】
この一部回収判断情報は、金種別収納庫７内の各金種の硬貨の収納枚数をもとに、一部回収処理を行うかを否かを判断する情報であり、その判断は収納枚数＞初期枚数＋基準増枚数の条件を満たすか否かで決まり、条件を満たすときに一部回収処理を行うと判断するものである。つまり、初期枚数と基準増枚数（増加枚数）との合計枚数が一部回収処理の実行を判断するための硬貨の基準枚数となる。
【００２１】
なお、初期枚数は業務開始に伴い係員が出金用の硬貨として硬貨処理機１に補充する硬貨の枚数である。基準増枚数は係員が設定する値であって一部回収処理を行うか否かを判断する硬貨の増加枚数の基準値である。
【００２２】
また、処理後残枚数を定める情報は、処理後残枚数＝初期枚数＋基準増枚数−回収値による式によって定め、業務開始時に係員が投入する硬貨の枚数（初期枚数）と、業務開始前に係員が設定する基準増枚数および回収値によって決まる。
回収値は、係員が設定する値であって初期枚数と基準増枚数の合計枚数に対して硬貨を何枚回収するかを示している。
【００２３】
そのため業務開始に合わせて投入された硬貨の初期枚数と係員により入力された基準増枚数、回収値をもとに処理後残枚数を算出して記憶部１１に記憶しておき、一部回収処理を行った際には金種別収納庫７内の硬貨が当該処理後残枚数となるように硬貨を回収する。
上記の一部回収判断情報、硬貨増枚数、回収値は、硬貨の金種ごとに設定されているものとし、そのため一部回収処理は各金種ごとに実行有無の判断がなされる。
【００２４】
本実施例の入金処理の概要について説明する。
係員により硬貨投入部２に硬貨が投入されると、制御部１０はその投入された硬貨を繰出して鑑別部５に搬送する。
【００２５】
制御部１０は、鑑別部５によって硬貨を鑑別し、金種を確認した硬貨を一時保管庫６に搬送して一時的に保管する。
そして、全ての硬貨の鑑別が終了し、硬貨処理機１を搭載する自動取引装置のタッチパネル等の入力手段によって顧客が入金を確定させる操作を行うと、制御部１０は一時保管庫６内の硬貨を金種別収納庫７に搬送し、搬送した硬貨を金種別に各金種別収納庫７に集積する。
【００２６】
次に一部回収処理について説明する。
一部回収処理の実行有無の判定は、入金処理や出金処理等の一取引処理終了毎に行っていくものであり、図３の実施例１の一部回収処理を示すフローチャートを用いてＳで示すステップに従って説明する。
【００２７】
なお、このフローチャートにおいては、一取引処理終了後を起点として説明する。
また、係員は業務開始前に釣銭用の硬貨を投入し、各金種に対応させた基準増枚数と回収値とを設定入力する。
【００２８】
これにより、制御部１０は、投入された釣銭用の硬貨の枚数を金種別に計数し、その計数した枚数を初期枚数として記憶部１１に記憶すると共に、入力された基準増枚数と回収値を記憶部１１に記憶する。
【００２９】
また、制御部１０は、記憶している処理後残枚数を定める情報と初期枚数、基準増枚数、回収値を読み出し、処理後残枚数を定める情報に基づく上述した式に従って金種ごとの処理後残枚数を求め、その処理後残枚数を記憶部１１に記憶する。
【００３０】
Ｓ１、制御部１０は、一取引処理が終了すると、記憶部１１に記憶した金種別収納庫７内の各金種の収納枚数を読み出し、読み出した収納枚数をもとに一部回収処理の実行判断を行う。
【００３１】
Ｓ２、制御部１０は、上述した収納枚数＞初期枚数＋基準増枚数の条件、つまり初期枚数と基準増枚数を足し合わせた枚数よりも収納枚数の方が多いか否かを金種ごとに判断し、収納枚数の方が多い金種がある場合はステップＳ３に進み、全ての金種の収納枚数が初期枚数と基準増枚数を足し合わせた枚数以下である場合はステップＳ４に移行する。
【００３２】
Ｓ３、制御部１０は、初期枚数と基準増枚数を足し合わせた枚数よりも収納枚数の方が多い金種があることを認識すると、該当する金種に対応する処理後残枚数を記憶部１１から読み出し、読み出した処理後残枚数となるように該当する金種の硬貨を収納する金種別収納庫７から硬貨を繰出し、回収金庫８に搬送して収納することで一部回収処理を実行する。
これによって該当する金種の硬貨を収納する金種別収納庫７内の収納枚数が処理後残枚数となるまで、制御部１０は硬貨を繰出して回収金庫８に搬送して収納する。
【００３３】
Ｓ４、制御部１０は、ステップＳ３で回収金庫８への硬貨の搬送を行って一部回収処理が終了した、あるいは、ステップＳ２で全金種の収納枚数が初期枚数と基準増枚数を足し合わせた枚数以下であると判断したとき、次の取引処理の指示を待つ待機状態に移行して終了する。
【００３４】
以上説明したように、本実施例では、一取引処理が終了するたびに、収納している硬貨の枚数を認識し、その枚数が初期枚数と基準増枚数とを足し合わせた枚数より多い金種がある場合、その金種の硬貨が金種別収納庫内に処理後残枚数と残るように一部回収処理を行うため、業務終了で現金精査処理等のために硬貨を回収する時間を短縮させることができる。
【００３５】
また、金融機関側が設定する所定の枚数の硬貨が一部回収処理で残るように、出金用の硬貨として補充された初期枚数と、入力された基準増枚数および回収値をもとに処理後残枚数を算出しており、このとき基準増枚数や回収値を調整することで処理後残枚数を初期枚数よりも少なくしたり初期枚数よりも多くしたりと、細かい設定を行うことができるため、金融機関側にとっての利便性が向上する。
【００３６】
さらに、初期枚数が判断の一要因になっているため、店舗毎に設定を変更することなく、少量の硬貨での運用と多量の硬貨での運用を実現できる。
そのため、本発明の硬貨処理装置１を搭載した自動取引装置の設置店舗にとっては硬貨の出金処理が少ない時期であれば、処理後残枚数を少なくしておけばより業務終了後の硬貨回収に掛かる時間を短縮することができる。
【実施例２】
【００３７】
本実施例の硬貨処理機１の構成は上記実施例１と同様であるが、記憶部１１に予め一部回収処理を行うか否かを判断する回収時間帯の情報を記憶している点が相違する。
なお、本実施例においては回収時間帯は金融機関の繁忙な時間帯を避けた顧客の少ない時間帯として記憶部１１に記憶されている。
【００３８】
図４に示す実施例２の一部回収処理を示すフローチャートを用い、ＳＡで示すステップに従って説明する。
ＳＡ１、制御部１０は、一取引処理が終了すると、図示しない時計機能により現在時刻を認識する。
【００３９】
ＳＡ２、制御部１０は、認識した現在時刻が回収時間帯に含まれるか否かを判断し、含まれていない場合はステップＳＡ５に移行し、含まれている場合はステップＳＡ３に進む。
【００４０】
ＳＡ３、制御部１０は、記憶部１１に記憶した金種別収納庫７内の各金種の収納枚数を読み出し、収納枚数＞初期枚数＋基準増枚数の条件、つまり初期枚数と基準増枚数を足し合わせた枚数よりも収納枚数の方が多いか否かを金種ごとに判断し、収納枚数の方が多い金種がある場合はステップＳＡ４に進み、各金種における収納枚数が初期枚数と基準増枚数を足し合わせた枚数以下である場合はステップＳＡ５に移行する。
【００４１】
ＳＡ４、制御部１０は、初期枚数と基準増枚数を足し合わせた枚数よりも収納枚数の方が多い金種があることを認識すると、該当する金種に対応する処理後残枚数を記憶部１１から読み出し、読み出した処理後残枚数となるように該当する金種の硬貨を収納する金種別収納庫７から硬貨を繰出し、回収金庫８に搬送して収納することで一部回収処理を実行する。
これによって該当する金種の硬貨を収納する金種別収納庫７内の収納枚数が処理後残枚数となるまで、制御部１０は硬貨を繰出して回収金庫８に搬送して収納する。
【００４２】
ＳＡ５、制御部１０は、ステップＳＡ２で現在時刻が回収時間帯では無いと判断したとき、あるいはステップＳＡ３で各金種の収納枚数が初期枚数と基準増枚数を足し合わせた枚数以下であると判断したとき、あるいはステップＳＡ４で回収金庫８への硬貨の搬送を行って一部回収処理が終了した後、次の取引処理の指示を待つ待機状態に移行して終了する。
【００４３】
以上説明したように、上記実施例１の効果に加えて、一部回収処理を実行する時間帯を定めたことにより、多くの顧客が来店する繁忙な時間帯を避けて一部回収処理を行うことができるため、自動取引装置１を使用する顧客が並んでいるときに一部回収処理を行うことによる顧客の待ち時間が長くなることで業務効率が低下してしまうのを防止することができるという効果が得られる。
【００４４】
なお、上記実施例においては、硬貨処理機ごとに別々の時間帯を設定するようにしてもよく、そのように設定した場合、店舗内の硬貨処理機が順に金種別ホッパ内の硬貨を回収金庫に移動させる動作をすることになり、店舗内の取引顧客を一斉に待たせることが無くなるという効果が期待できる。
【実施例３】
【００４５】
本実施例の硬貨処理機１の構成は上記実施例１と同様であるが、一部回収処理を行うか否かを判断する時間帯を設定すると共に、一部回収処理を行った場合に出金処理において使用頻度が低い５円、５０円、５００円の３金種については全て回収する点が相違する。
そのため、本実施例の記憶部１１は一部回収処理を行うか否かを判断する時間帯の情報を記憶している。
【００４６】
図５に示す実施例３の一部回収処理を示すフローチャートを用い、ＳＢで示すステップに従って説明する。
ＳＢ１、制御部１０は、一取引処理が終了すると、図示しない時計機能により現在時刻を認識する。
【００４７】
ＳＢ２、制御部１０は、認識した現在時刻が回収時間帯に含まれるか否かを判断し、含まれていない場合はステップＳＢ６に移行し、含まれている場合はステップＳＢ３に進む。
ＳＢ３、制御部１０は、５円、５０円、５００円の３金種の硬貨を全て金種別収納庫７から繰出して回収金庫８に搬送して回収する。
【００４８】
ＳＢ４、制御部１０は、１円、１０円、１００円の金種の硬貨について、収納枚数＞初期枚数＋基準増枚数の条件、つまり初期枚数と基準増枚数を足し合わせた枚数よりも収納枚数の方が多いか否かを金種ごとに判断し、収納枚数の方が多い金種がある場合はステップＳＢ５に進み、全ての金種の収納枚数が初期枚数と基準増枚数を足し合わせた枚数以下である場合はステップＳＢ６に移行する。
【００４９】
ＳＢ５、制御部１０は、１円、１０円、１００円の３金種において初期枚数と基準増枚数を足し合わせた枚数よりも収納枚数の方が多い金種があると判断すると、該当する金種に対応する処理後残枚数を記憶部１１から読み出し、読み出した処理後残枚数となるように該当する金種の硬貨を収納する金種別収納庫７から硬貨を繰出し、回収金庫８に搬送して収納する。
【００５０】
これによって該当する金種の硬貨を収納する金種別収納庫７内の収納枚数が処理後残枚数となるまで、制御部１０は硬貨を繰出して回収金庫８に搬送して収納する。
【００５１】
ＳＢ６、制御部１０は、ステップＳＢ２で現在時刻が回収時間帯では無いと判断したとき、あるいはステップＳＢ４で各金種の収納枚数が初期枚数と基準増枚数を足し合わせた枚数以下であると判断したとき、あるいはステップＳＢ５で回収金庫８への硬貨の搬送を行って一部回収処理が終了した後、次の取引処理の指示を待つ待機状態に移行して終了する。
【００５２】
以上説明したように、本実施例は上記各実施例の効果に加えて、出金処理で使用頻度の低い金種の効果を一部回収処理で全て回収するようにしたので、さらに業務終了に伴って行う全硬貨の回収処理を行った際の回収に掛かる時間を短縮することができる。
【符号の説明】
【００５３】
１    硬貨処理機
２    硬貨投入部
３    繰出分離機構
４    硬貨搬送部
５    鑑別部
６    一時保管庫
７    金種別収納庫
８    回収金庫
１０  制御部
１１  記憶部
【図１】
0005531840.tif 000002
【図２】
0005531840.tif 000003
【図３】
0005531840.tif 000004
【図４】
0005531840.tif 000005
【図５】
0005531840.tif 000006